(57)【要約】【課題】  開閉センサ及びその電源を内蔵することで、別途開閉センサの取り付けを必要としない平面ハンドル、及びこの平面ハンドルを取り付けたキャビネットを提供する。【解決手段】  扉２２を開閉する際に操作するハンドル１１と、ハンドル１１を収納するハンドルケース１２とを有し、ハンドルケース１２の内部に、圧電素子１７と無線送信部１６とが収容される一方、ハンドル１１の背部には、ハンドル１１をハンドルケース１２に収納した際に、圧電素子１７を押圧する突起１１ａが設けられ、ハンドル１１の収納操作及び引出操作により、圧電素子１７が受ける圧力の変化から発電した電力により、無線送信部１６が起動して無線信号が出力される。【選択図】  図２
2020111969.tif 000002
【特許請求の範囲】
【請求項１】
扉に取り付けられ、当該扉の開閉操作を行うハンドル、及び前記ハンドルを収納するハンドルケースを有し、前記ハンドルの回動操作で前記扉のロック／ロック解除を行う平面ハンドルであって、
前記ハンドルケースの内部に、圧電素子と無線送信部とが収容される一方、
前記ハンドルの背部には、当該ハンドルを前記ハンドルケースに収納した際に、前記圧電素子を押圧する押圧部が設けられ、
前記ハンドルの収納操作及び引出操作により、前記圧電素子が受ける圧力の変化から発電した電力により、前記無線送信部が起動して無線信号を出力することを特徴とする平面ハンドル。
【請求項２】
前面が開放されて内部に機器収納空間が形成されたキャビネット本体と、前記キャビネット本体に蝶着されて開放された前記前面を閉塞する扉とを有するキャビネットであって、
前記扉には、請求項１に記載の平面ハンドルを設けたことを特徴とするキャビネット。
【請求項３】
前記ハンドルケースは金属により形成され、前記ハンドルケースの少なくとも前記無線送信部が配置された背部は開口形成され、前記無線送信部が出力する無線信号を後方に送出可能とし、
前記無線送信部から出力された無線信号を受信する受信部が前記キャビネット本体内に配置され、
前記受信部には、外部から導入された通信線が接続されて、受信信号が前記通信線を介して外部に送出されることを特徴とする請求項２記載のキャビネット。
【請求項４】
前記ハンドルケースは、ハンドル収容部に隣接する前面に開口部を有し、前記開口部に前記無線送信部のアンテナが配置されて成ることを特徴とする請求項１記載の平面ハンドル。
【発明の詳細な説明】
【技術分野】
【０００１】
本発明は、平面ハンドル及び平面ハンドルを備えたキャビネットに関する。
【背景技術】
【０００２】
電気機器を収納するキャビネットには、扉にシリンダ錠を備えた平面ハンドルが設けられ（例えば、特許文献１参照）、扉を開閉する際にはこの平面ハンドルが操作されて別途施錠装置を設けること無く施錠できた。
そして、このようなキャビネットに対して、扉が不正に開けられないように扉の開閉を検知する開閉センサを取り付けて、扉の開閉を検知してその情報を外部に通知するよう構成されたものがある（例えば、特許文献２参照）。
【先行技術文献】
【特許文献】
【０００３】
【特許文献１】特開２０１６−７９７０２号公報
【特許文献２】特開２００７−３２８６０１号公報
【発明の概要】
【発明が解決しようとする課題】
【０００４】
扉の開閉を外部で把握可能とした上記従来のキャビネットは、開閉センサとして近接スイッチが使用された。そのため、キャビネットの外部から導入された信号線がキャビネット内部に配設されて扉近傍に設置された近接スイッチに接続され、信号線を介して扉の開閉情報を入手した。
このように、扉の開閉を把握するためには、専用のセンサを取り付け、このセンサまで配線の引き回しが必要であった。
【０００５】
そこで、本発明はこのような問題点に鑑み、開閉センサ及びその電源を内蔵することで、別途開閉センサの取り付けを必要としない平面ハンドル、及びこの平面ハンドルを取り付けたキャビネットを提供することを目的としている。
【課題を解決するための手段】
【０００６】
上記課題を解決する為に、請求項１の発明は、扉に取り付けられ、当該扉の開閉操作を行うハンドル、及びハンドルを収納するハンドルケースを有し、ハンドルの回動操作で扉のロック／ロック解除を行う平面ハンドルであって、ハンドルケースの内部に、圧電素子と無線送信部とが収容される一方、ハンドルの背部には、当該ハンドルをハンドルケースに収納した際に、圧電素子を押圧する押圧部が設けられ、ハンドルの収納操作及び引出操作により、圧電素子が受ける圧力の変化から発電した電力により、無線送信部が起動して無線信号を出力することを特徴とする。
この構成によれば、平面ハンドル内にハンドルの収納操作及び引出操作を検知して信号を外部に無線送信する機能が内蔵されているため、平面ハンドルを取り付けるだけで別途センサを設けること無く扉の開閉を検知し、検知信号を送出させることができる。
【０００７】
請求項２の発明は、前面が開放されて内部に機器収納空間が形成されたキャビネット本体と、キャビネット本体に蝶着されて開放された前面を閉塞する扉とを有するキャビネットであって、扉には、請求項１に記載の平面ハンドルを設けたことを特徴とする。
この構成によれば、平面ハンドルが扉の開閉を検知するため、キャビネットに別途開閉センサを取り付ける必要がない。よって、従来のように信号線を扉の近くまで配設する必要がない。
【０００８】
請求項３の発明は、請求項２に記載の構成において、ハンドルケースは金属により形成され、ハンドルケースの少なくとも無線送信部が配置された背部は開口形成され、無線送信部が出力する無線信号を後方に送出可能とし、無線送信部から出力された無線信号を受信する受信部がキャビネット本体内に配置され、受信部には、外部から導入された通信線が接続されて、受信信号が通信線を介して外部に送出されることを特徴とする。
この構成によれば、ハンドルケースが金属製であっても、無線送信部の送信信号をキャビネット内に送出できる。そして、無線送信部が送出した無線信号はキャビネット内に配置された受信部が拾ってキャビネット外へ送出されるため、キャビネットが金属製であっても、良好に外部に送出できる。
また、受信部の取付位置はキャビネット内であれば良く、容易に組み付けできる。
【０００９】
請求項４の発明は、請求項１に記載の構成において、ハンドルケースは、ハンドル収容部に隣接する前面に開口部を有し、開口部に無線送信部のアンテナが配置されて成ることを特徴とする。
この構成によれば、平面ハンドルの前方に無線信号が送出されるため、外部に設けた１台の受信機により複数のキャビネットの扉の開閉管理が可能となる。
【発明の効果】
【００１０】
本発明によれば、平面ハンドル内にハンドルの収納操作及び引出操作を検知して信号を外部に無線送信する機能が内蔵されているため、平面ハンドルを取り付けるだけで別途センサを設けること無く扉の開閉を検知し、検知信号を送出させることができる。
【図面の簡単な説明】
【００１１】
【図１】本発明に係る平面ハンドルを示し、（ａ）は正面図、（ｂ）は右側面図、（ｃ）は平面図であり、ハンドルを収納した状態を示している。
【図２】Ａ−Ａ線断面図である。
【図３】図１の平面ハンドルのハンドルを引き出した状態を示し、（ａ）は正面図、（ｂ）は右側面図である。
【図４】Ｂ−Ｂ線断面図である。
【図５】図１の平面ハンドルの引き出したハンドルを回転操作した状態を示し、（ａ）は正面図、（ｂ）は右側面図である。
【図６】キャビネットの一例を示す斜視説明図である。
【図７】平面ハンドルの他の例を示し、（ａ）は正面図、（ｂ）はＣ−Ｃ線断面図である。
【発明を実施するための形態】
【００１２】
以下、本発明を具体化した実施の形態を、図面を参照して詳細に説明する。図１，２は本発明に係る平面ハンドルの一例を示し、図１（ａ）は正面図、図１（ｂ）は右側面図、図１（ｃ）は平面図、図２はＡ−Ａ線断面図を示し、ハンドルをハンドルケースに収納した状態を示している。
平面ハンドル１は、ハンドル１１と、このハンドル１１を収納するハンドル収容部Ｍを備えたハンドルケース１２とから構成されている。また、ハンドルケース１２の背部には、キャビネット本体等の係止対象に係止させるための係止片１３が設けられ、全体は金属により形成されている。平面ハンドル１は、例えばキャビネットの扉等に取り付けられ、扉を開閉する際に操作される。
【００１３】
係止片１３は、前方に延びている回動軸１５の後端に固着されており、回動軸１５の先端はハンドル１１の上端に連結されている。ハンドル１１は、左右方向に配置された軸１５ａを介して回動軸１５に連結され、ハンドル１１の前後方向の回動を可能とすると共に、前方に引き出したハンドル１１を左右方向に回動することで、係止片１３が回動するよう構成されている。
また、ハンドル１１にはハンドル操作を禁止、即ち扉等をロックするためのシリンダー錠１４が取り付けられ、前面にその鍵穴１４ａが設けられている。
【００１４】
一方、ハンドルケース１２の内部には、外部に所定の信号を無線出力する無線送信部１６、電力を生成する圧電素子１７が収容され、ハンドル１１の背部には、圧電素子１７を押圧するための突起１１ａが設けられ、ハンドルケース１２に収納した状態で、圧電素子１７が押圧されるよう構成されている。
【００１５】
尚、圧電素子１７は背部に弾性部材（図示せず）が配置され、一定量の圧力を超える圧力が加わったらそれを吸収するよう構成されている。また、無線送信部１６の背部となるハンドルケース１２には窓１２ａが開口形成されている。ハンドルケース１２が金属で形成されても、この窓１２ａから無線送信部１６が送出した信号が平面ハンドル１の後方に送出されるよう形成されている。
【００１６】
このように形成された平面ハンドル１は以下の様に動作する。図３，４は、ハンドル１１を引き出した状態を示し、図３（ａ）は正面図、図３（ｂ）は右側面図であり、図４はＢ−Ｂ線断面図である。また、図５は、引き出したハンドル１１を回転操作した状態を示し、（ａ）は正面図、（ｂ）は右側面図であり、図６はこの平面ハンドル１を取り付けたキャビネット２を示している。これらの図を参照して説明する。
図６に示すキャビネット２は、前面が開放形成されて内部に電気機器或いは情報機器を収納する機器収納空間を備えたキャビネット本体２１と、キャビネット本体２１に蝶着されて開放形成されたキャビネット本体２１の前面を閉塞する扉２２とを有し、扉２２に平面ハンドル１が設けられている。
【００１７】
係止片１３は、図１に示すハンドル１１を収納した状態では、左側に突出した状態にあるが、図３に示す引き出した状態から、図５に示す右に回動した状態にすると、係止片１３の突出量は減少する。即ち扉２２をキャビネット本体２１に係止した（ロックした）状態が解除され、扉２２の開放操作が可能となる。
逆に、回動したハンドル１１を垂直な状態に戻せば、再び係止片１３が突出し、収納してもこの状態は維持される。
【００１８】
圧電素子１７は、その特性から外部から受ける圧力が変化した時に発電する。よって、ハンドル１１が収納された状態から引き出し操作された時、及び引き出したハンドル１１が収納されるとき発電する。
従って、ハンドル１１を引き出した図３に示す状態に移行させると、圧電素子１７に加わっていた圧力が無くなるため、このときの圧力の変化で発電する。この発電電力を基に無線送信部１６は起動して予め設定された周波数の信号を出力する。
【００１９】
一方、引き出したハンドル１１をハンドルケース１２に戻す収納操作をすると、圧電素子１７に再び圧力が加わるため、このときの圧力の変化で発電する。この発電電力を基に無線送信部１６は起動して予め設定された周波数の信号を出力する。
この信号を拾えば平面ハンドル１が操作されたことを把握できる。即ち、扉２２が開閉操作されたことを把握できる。
【００２０】
ここで、図６に示す３は受信部であり、受信部３はキャビネット本体２１の内部に配置され、キャビネット２の外部から導入された通信線４が接続されている。
この受信部３が、平面ハンドル１に設けられている無線送信部１６から送出され、窓１２ａを介して後方へ送出された無線信号を受信し、通信線４を介して外部に受信信号を送出する。
尚、扉２２が閉まっていない状態でハンドル１１をハンドルケース１２に収納しても、圧電素子１７が発電して無線送信部１６は動作するが、発信された信号はキャビネット２の内部にまで届かないため、施錠できていないことを認識できる。また、受信部３の電源はキャビネット２内に導入されている商用電源から供給を受ける。
【００２１】
キャビネット２は全体が金属製であるため、密閉した状態では電波は遮断されるが、このように外部から導入された通信線４が接続された受信部３をキャビネット２の内部に配置することで、内部で生成された無線信号を外部に送出することができる。また受信部３は、キャビネット２の内部であればどこに配置しても良く、扉２２の近くに設置する必要が無いため、設置し易いし配線も容易である。
【００２２】
このように、平面ハンドル１の中にハンドル１１の収納操作及び引出操作を検知して信号を外部に無線送信する機能が設けられているため、別途センサを設けること無く扉２２の開閉操作を検知して外部で管理することが可能となる。
また、ハンドルケース１２が金属製であっても、ハンドルケース１２の背部には窓１２ａが開口形成されているため、後方へ信号を送出でき、送信信号の出力が小さくてもその信号を受信できる。
更に、無線送信部１６が出力する信号を受信すれば扉２２が開閉操作されたことを把握でき、従来の様に信号線を扉２２の近くに設けた近接スイッチまで配設する必要がない。  加えて、発電部としての圧電素子１７、無線送信部１６は、平面ハンドル１のハンドルケース１２内に収容されているため、平面ハンドル１を扉２２に取り付ければ、同時に開閉センサの取り付けも完了し、取り付けが容易である。また、無線送信部１６と受信部３とを信号線でで接続する必要がないため、平面ハンドル１の組み付けは従来と同様であり、容易に組み付けできる。
【００２３】
図７は平面ハンドル１Ａの他の形態を示し、（ａ）は正面図、（ｂ）はＣ−Ｃ線断面図である。上記実施形態の平面ハンドル１とは、無線送信部１６が送出する無線信号の出力方向が異なっており、相違部のみ説明する。上記図１に示す平面ハンドル１では無線信号をキャビネット内に向けて送出しているが、図７の形態ではハンドルケース１２前面のハンドル収容部Ｍに隣接する下部に開口部１２ｂを設け、その中に無線送信部１６のアンテナ１８を配置し、このアンテナ１８により平面ハンドル１Ａの前方、即ちキャビネットの前方に送出するよう構成されている。
このように、平面ハンドル１Ａの前方に無線信号を出力させれば、外部に設けた１台の受信機により複数のキャビネットの扉の開閉管理が可能となる。
【００２４】
尚、上記実施形態では、ハンドルケース１２が金属製の場合を説明したが、合成樹脂製でも良い。その場合、ハンドルケース１２に図２に示す様な窓１２ａを設けなくても良いし、図７に示す様な開口部１２ｂを設けなくとも、無線送信部１６は無線信号を良好に送信できる。
【符号の説明】
【００２５】
１，１Ａ・・平面ハンドル、２・・キャビネット、３・・受信機、４・・通信線、１１・・ハンドル、１１ａ・・突起（押圧部）、１２・・ハンドルケース、１２ａ・・窓、１２ｂ・・開口部、１６・・無線送信部、１７・・圧電素子、１８・・アンテナ、２１・・キャビネット本体、２２・・扉、Ｍ・・ハンドル収容部。
【図１】
2020111969.tif 000003
【図２】
2020111969.tif 000004
【図３】
2020111969.tif 000005
【図４】
2020111969.tif 000006
【図５】
2020111969.tif 000007
【図６】
2020111969.tif 000008
【図７】
2020111969.tif 000009